【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
１以上の空間ストリームを割り当てるために、複数のグループの中の複数の装置から成る各グループに属する装置のポジションを、前記複数の装置のうちの前記装置それぞれに知らせることと、
同時データ伝送を受信するための２ｙまでの前記複数のグループに属するグループを識別するｙビットの第１のフィールドを含むプリアンブルを生成することと、ここで、ｙは、前記ｙビットによって識別された前記グループ中で装置の組み合わせが見つからない確率がしきい値以下であるように選ばれる、
前記ｙビットによって識別された前記グループから選択された１セットの前記複数の装置に向けられた前記同時データ伝送に先行して、前記第１のフィールドを備える少なくとも前記プリアンブルの一部分を前記複数の装置に送信することと、
を備え、
ここで、前記１セットの中の各装置への前記同時データ伝送の１以上の空間ストリームの割当は、前記プリアンブルの一部分によって、及び前記ｙビットによって識別された前記グループに属するその装置の前記知らされたポジションによって、特定される、無線通信のための方法。
【請求項２】
前記複数のグループの各々は、前記複数の装置のセットを複数含む、請求項１記載の方法。
【請求項３】
前記プリアンブルの一部分は、前記１セットの中の各装置に割り当てられる前記空間ストリームの数を示す第２のフィールドを含む、請求項１記載の方法。
【請求項４】
前記知らせることは、前記複数の装置の全てへブロードキャストメッセージを送信すること、またはユニキャストメッセージを送信することの少なくとも１つを含む、請求項１記載の方法。
【請求項５】
前記ユニキャストメッセージは、前記ユニキャストメッセージを受信することを対象とした前記複数の装置のうちの１つを関連させる手順の間に送信される、請求項４記載の方法。
【請求項６】
前記装置のポジションは、前記グループの全てに無作為に割り当てられる、請求項１記載の方法。
【請求項７】
前記無作為に割り当てられたポジションの各々は、前記装置の識別子の関数によって起源とされる擬似乱数ジェネレータを使用して計算される、請求項１記載の方法。
【請求項８】
前記知らせることは、前記複数の装置の１ペアに、前記複数のグループの少なくとも１つの中で異なるポジションを知らせることを含む、請求項１記載の方法。
【請求項９】
前記複数の装置の１つへ前記ポジションを知らせることは、その装置がメンバーである前記２ｙグループのサブセットのためにのみ実行される、請求項１記載の方法。
【請求項１０】
前記知らせることは、その装置へメッセージを送信することを含み、前記サブセットは、２ｙビットのビットマップを使用して、前記メッセージ中で識別される、請求項９記載の方法。
【請求項１１】
１以上の空間ストリームを割り当てるために、複数のグループの中の複数の他の装置から成る各グループに属する他の装置のポジションを、前記複数の他の装置のうちの装置それぞれに知らせるように構成された第１の回路と、
同時データ伝送を受信するための２ｙまでの前記複数のグループに属するグループを識別するｙビットの第１のフィールドを含むプリアンブルを生成するように構成された第２の回路と、ここで、ｙは、前記ｙビットによって識別された前記グループ中で装置の組み合わせが見つからない確率がしきい値以下であるように選ばれる、
前記ｙビットによって識別された前記グループから選択された１セットの前記複数の他の装置に向けられた前記同時データ伝送に先行して、前記第１のフィールドを備える少なくとも前記プリアンブルの一部分を前記複数の他の装置に送信するように構成された送信機と、
を備え、
ここで、前記１セットの中の各装置への前記同時データ伝送の１以上の空間ストリームの割当は、前記プリアンブルの一部分によって、及び前記ｙビットによって識別された前記グループに属するその装置の前記知らされたポジションによって、特定される、無線通信装置。
【請求項１２】
前記複数のグループの各々は、前記複数の他の装置のセットを複数含む、請求項１１記載の装置。
【請求項１３】
前記プリアンブルの一部分は、前記セットの中の各装置に割り当てられる前記空間ストリームの数を示す第２のフィールドを含む、請求項１１記載の装置。
【請求項１４】
前記第１の回路は、さらに、前記複数の他の装置の全てへブロードキャストメッセージまたはユニキャストメッセージの少なくとも１つを送信するように構成されている、請求項１１記載の装置。
【請求項１５】
前記ユニキャストメッセージは、前記ユニキャストメッセージを受信することを対象とした前記複数の他の装置のうちの１つを関連させる手順の間に送信される、請求項１４記載の装置。
【請求項１６】
前記他の装置のポジションは、前記複数のグループの全てに無作為に割り当てられる、請求項１１記載の装置。
【請求項１７】
前記無作為に割り当てられたポジションの各々は、前記他の装置の識別子の関数によって起源とされる擬似乱数ジェネレータを使用して計算される、請求項１６記載の装置。
【請求項１８】
前記第１の回路は、さらに、前記複数の他の装置のペアに、前記複数のグループの少なくとも１つの中で異なるポジションを知らせるように構成されている、請求項１１記載の装置。
【請求項１９】
前記複数の他の装置のうちの１つへ前記ポジションを知らせることは、その他の装置がメンバーである前記２ｙグループのサブセットのためにのみ実行される、請求項１１記載の装置。
【請求項２０】
前記第１の回路は、さらに、その他の装置へメッセージを送信するように構成され、前記サブセットは、２ｙビットのビットマップを使用して、前記メッセージ中で識別される、請求項１９記載の装置。
【請求項２１】
１以上の空間ストリームを割り当てるために、複数のグループの中の複数の他の装置から成る各グループに属する他の装置のポジションを、前記複数の他の装置のうちの装置それぞれに知らせるための手段と、
同時データ伝送を受信するための２ｙまでの前記複数のグループに属するグループを識別するｙビットの第１のフィールドを含むプリアンブルを生成するための手段と、ここで、ｙは、前記ｙビットによって識別された前記グループ中で装置の組み合わせが見つからない確率がしきい値以下であるように選ばれる、
前記ｙビットによって識別された前記グループから選択された１セットの前記複数の他の装置に向けられた前記同時データ伝送に先行して、前記第１のフィールドを備える少なくとも前記プリアンブルの一部分を前記複数の他の装置に送信するための手段と、
を備え、
ここで、前記１セットの中の各装置への前記同時データ伝送の１以上の空間ストリームの割当は、前記プリアンブルの一部分によって、及び前記ｙビットによって識別された前記グループに属するその装置の前記知らされたポジションによって、特定される、無線通信装置。
【請求項２２】
前記複数のグループの各々は、前記複数の他の装置のセットを複数含む、請求項２１記載の装置。
【請求項２３】
前記プリアンブルの一部分は、前記セットの中の各装置に割り当てられる前記空間ストリームの数を示す第２のフィールドを含む、請求項２１記載の装置。
【請求項２４】
前記知らせるための手段は、前記複数の他の装置の全てへブロードキャストメッセージを送信するための手段またはユニキャストメッセージを送信するための手段の少なくとも１つ含む、請求項２１記載の装置。
【請求項２５】
前記ユニキャストメッセージは、前記ユニキャストメッセージを受信することを対象とした前記複数の他の装置のうちの１つを関連させる手順の間に送信される、請求項２４記載の装置。
【請求項２６】
前記他の装置のポジションは、前記複数のグループの全てに無作為に割り当てられる、請求項２１記載の装置。
【請求項２７】
前記無作為に割り当てられたポジションの各々は、前記他の装置の識別子の関数によって起源とされる擬似乱数ジェネレータを使用して計算される、請求項２６記載の装置。
【請求項２８】
前記知らせるための手段は、前記複数の他の装置のペアに、前記複数のグループの少なくとも１つの中で異なるポジションを知らせるための手段を含む、請求項２１記載の装置。
【請求項２９】
前記複数の他の装置のうちの１つへ前記ポジションを知らせることは、その他の装置がメンバーである前記２ｙグループのサブセットのためにのみ実行される、請求項２１記載の装置。
【請求項３０】
前記知らせるための手段は、その他の装置へメッセージを送信することを備え、前記サブセットは、２ｙビットのビットマップを使用して、前記メッセージ中で識別される、請求項２９記載の装置。
【請求項３１】
命令で符号化された非一時的なコンピュータ可読媒体であって、前記命令は、
１以上の空間ストリームを割り当てるために、複数のグループの中の複数の装置から成る各グループに属する装置のポジションを、前記複数の装置のうちの前記装置それぞれに知らせることと、
同時データ伝送を受信するための２ｙまでの前記複数のグループに属するグループを識別するｙビットの第１のフィールドを含むプリアンブルを生成することと、ここで、ｙは、前記ｙビットによって識別された前記グループ中で装置の組み合わせが見つからない確率がしきい値以下であるように選ばれる、
前記ｙビットによって識別された前記グループから選択された１セットの前記複数の装置に向けられた前記同時データ伝送に先行して、前記第１のフィールドを備える少なくとも前記プリアンブルの一部分を前記複数の装置に送信することと、を実行可能であり、
ここで、前記１セットの中の各装置への前記同時データ伝送の１以上の空間ストリームの割当は、前記プリアンブルの一部分によって、及び前記ｙビットによって識別された前記グループに属するその装置の前記知らされたポジションによって、特定される、非一時的なコンピュータ可読媒体。
【請求項３２】
少なくとも１つのアンテナと、
１以上の空間ストリームを割り当てるために、複数のグループの中の複数の装置から成る各グループに属する装置のポジションを、前記複数の装置のうちの前記装置それぞれに知らせるように構成された第１の回路と、
同時データ伝送を受信するための２ｙまでの前記複数のグループに属するグループを識別するｙビットの第１のフィールドを含むプリアンブルを生成するように構成された第２の回路と、ここで、ｙは、前記ｙビットによって識別された前記グループ中で装置の組み合わせが見つからない確率がしきい値以下であるように選ばれる、
前記ｙビットによって識別された前記グループから選択された１セットの前記複数の装置に向けられた前記同時データ伝送に先行して、前記第１のフィールドを備える少なくとも前記プリアンブルの一部分を前記少なくとも１つのアンテナを介して前記複数の装置に送信するように構成された送信機と、
を備え、
ここで、前記１セットの中の各装置への前記同時データ伝送の１以上の空間ストリームの割当は、前記プリアンブルの一部分によって、及び前記ｙビットによって識別された前記グループに属するその装置の前記知らされたポジションによって、特定される、通信デバイス。
【請求項３３】
前記しきい値は、０．１％である、請求項１記載の方法。
【請求項３４】
ｙは少なくとも６である、請求項１記載の方法。
【請求項３５】
前記しきい値は、０．１％である、請求項１１記載の装置。
【請求項３６】
ｙは少なくとも６である、請求項１１記載の装置。
【請求項３７】
前記しきい値は、０．１％である、請求項２１記載の装置。
【請求項３８】
ｙは少なくとも６である、請求項２１記載の装置。